(57)【要約】【課題】  エレベータ用ドアに、何らかの力が作用してドアが傾いた場合であっても、ドアが外れにくくしたエレベータ用ドア装置を得る。【解決手段】  出入口２の上方部に設けられたハンガーケース１と、ハンガーケースに水平方向に敷設されたハンガーレール４と、ハンガーレールに載置されて水平方向に転動するハンガーローラ５が上部に取り付けられたハンガープレート６と、ハンガープレートの下部に取り付けられ、出入口を開閉するエレベータドア７と、ハンガープレートの上端部をハンガーケースの天井付近まで延長して形成された延長部に取り付けられ、ドアが傾いた時に、ハンガーケース内面に当接してドアの傾きを阻止する傾き阻止用ストッパー１２とを備える。【選択図】    図１
2006137518.tif 000002
【特許請求の範囲】
【請求項１】
出入口の上方部に設けられたハンガーケースと、
前記ハンガーケースに水平方向に敷設されたハンガーレールと、
前記ハンガーレールに載置されて水平方向に転動するハンガーローラが上部に取り付けられたハンガープレートと、
前記ハンガープレートの下部に取り付けられ、前記出入口を開閉するエレベータドアと、
前記ハンガープレートの上端部を前記ハンガーケースの天井付近まで延長して形成された延長部に取り付けられ、前記ドアが傾いた時に、前記ハンガーケース内面に当接してドアの傾きを阻止する傾き阻止用ストッパーと、
を備えたことを特徴とするエレベータ用ドア装置。
【請求項２】
出入口の上方部に設けられたハンガーケースと、
前記ハンガーケースに水平方向に敷設されたハンガーレールと、
前記ハンガーレール上に載置されて水平方向に転動するハンガーローラが上部に取り付けられたハンガープレートと、
前記ハンガープレートの下部に取り付けられ、前記出入口を開閉するエレベータドアと、
前記ハンガープレートに取り付けられ、前記ハンガーレールの下面に接触して前記ドアの振れを防止する振れ止め用アップスラストローラと、
前記ハンガープレートの上端部を前記ハンガーケースの天井付近まで延長して形成された延長部に取り付けられ、前記ドアが傾いた時に、前記ハンガーケース内面に当接してドアの傾きを阻止する傾き阻止用ストッパーと、
を備えたことを特徴とするエレベータ用ドア装置。
【請求項３】
出入口の上方部に設けられたハンガーケースと、
前記ハンガーケースに水平方向に敷設されたハンガーレールと、
前記ハンガーレールに載置されて水平方向に転動するハンガーローラが上部に取り付けられたハンガープレートと、
前記ハンガープレートの下部に取り付けられ、前記出入口を開閉するエレベータドアと、
前記ハンガープレートの上端部を前記ハンガーケースの天井付近まで延長して形成された延長部に取り付けられ、前記ハンガーケースの天井部内面を転動してドアの振れを防止するとともに、前記ドアが傾いた時に、前記ハンガーケース内面に当接してドアの傾きを阻止する振れ止め兼傾き阻止用ローラストッパーと、
を備えたことを特徴とするエレベータ用ドア装置。
【請求項４】
傾き阻止用ストッパーは、ハンガープレートの垂直部上端の延長部前面側に取り付けられ、ドアが傾いた時に、ハンガーケースの垂直部内面に当接することを特徴とする請求項１又は請求項２記載のエレベータ用ドア装置。
【請求項５】
振れ止め兼傾き阻止用ローラストッパーは、ハンガープレートの垂直部上端の延長部前面側に取り付けられ、通常時はローラストッパーの外周面がハンガーケースの天井部内面を転動し、ドアが傾いた時に、ローラストッパーの側面がハンガーケースの垂直部内面に当接することを特徴とする請求項３記載のエレベータ用ドア装置。
【発明の詳細な説明】
【技術分野】
【０００１】
この発明は、エレベータ用ドア装置に関するものである。
【背景技術】
【０００２】
従来のエレベータ用ドア装置においては、例えば、図５、図６に示すような技術が知られている（例えば、特許文献１参照）。
図において、１はエレベータの乗場出入口２の上方部の昇降路壁内面３に固着されたハンガーケース、４はハンガーケース１内に水平方向に敷設されたハンガーレールで、ハンガーケース１の一部を折り曲げることにより一体成形されている。５はハンガーレール４上部に載置されて水平方向に転動する複数個のハンガーローラ、６はこのハンガーローラ５を垂直部上端部の前面側（乗場側）に複数個取り付けたＬ字状のハンガープレート、７はこのハンガープレート６の下端水平部にボルト８により固着された乗場ドアで、乗場出入口２を開閉する。９は乗場ドア７の下端部に取り付けられたドアシュー、１０はこのドアシュー９を案内する乗場敷居、１１はハンガープレート６の前面側（乗場側）に固定され、ハンガーレール４の下面に接触させた乗場ドア７の振れ止め用アップスラストローラである。
【０００３】
【特許文献１】特公平７−１１０７５５号公報（図３）
【発明の開示】
【発明が解決しようとする課題】
【０００４】
従来のエレベータ用ドア装置では、乗場ドア７の振れ止め用アップスラストローラ１１がハンガーローラ５の下側に位置しており、ハンガーレール４をハンガーローラ５とアップスラストローラ１１とで上下より挟み込んで振れ止めとなるような構成となっているため、乗場ドア７に、例えば、乗場側から昇降路側へ何らかの力が作用して乗場ドアが傾いた場合、図６に示すように、アップスラストローラ１１が外れるという問題点があった。
【０００５】
この発明は、上述のような課題を解決するためになされたもので、その目的は、エレベータ用ドアに、何らかの力が作用してドアが傾いた場合であっても、ドアが外れにくくしたエレベータ用ドア装置を提供するものである。
【課題を解決するための手段】
【０００６】
この発明に係るエレベータ用ドア装置は、出入口の上方部に設けられたハンガーケースと、ハンガーケースに水平方向に敷設されたハンガーレールと、ハンガーレールに載置されて水平方向に転動するハンガーローラが上部に取り付けられたハンガープレートと、ハンガープレートの下部に取り付けられ、出入口を開閉するエレベータドアと、ハンガープレートの上端部をハンガーケースの天井付近まで延長して形成された延長部に取り付けられ、ドアが傾いた時に、ハンガーケース内面に当接してドアの傾きを阻止する傾き阻止用ストッパーとを備えたものである。
【発明の効果】
【０００７】
この発明は、ドアに力が作用してドアが傾いた場合、傾き阻止用ストッパーがハンガーケース内面に接触して、ドアの傾き角度を制限することができるので、ドアの外れを防止することができる。
【発明を実施するための最良の形態】
【０００８】
実施の形態１．
図１はこの発明の実施の形態１におけるエレベータ用ドア装置を示す乗場の縦断面図、図２は同じくドアが傾いた状態を示す乗場の縦断面図である。
図において、１はエレベータの乗場出入口２の上方部の昇降路壁内面３に固着されたハンガーケース、４はハンガーケース１内に水平方向に敷設されたハンガーレールで、ハンガーケース１の一部を折り曲げることにより一体成形されている。５はハンガーレール４上部に載置されて水平方向に転動する複数個のハンガーローラ、６はこのハンガーローラ５を垂直部上部の前面側（乗場側）に複数個取り付けたＬ字状のハンガープレート、７はこのハンガープレート６の下端水平部にボルト８により固着された乗場ドアで、乗場出入口２を開閉する。９は乗場ドア７の下端部に取り付けられたドアシュー、１０はこのドアシュー９を案内する乗場敷居、１１はハンガープレート６の前面側（乗場側）に固定され、ハンガーレール４の下面に接触させた乗場ドア７の振れ止め用アップスラストローラ、１２はハンガープレート６の垂直部上端部をハンガーケース１の天井部付近まで延長し、この延長された垂直部上端部の前面側（乗場側）に取り付けられた乗場ドア７の傾き阻止用ストッパーである。
【０００９】
次に、この発明のドア装置の動作について説明する。
通常時は、図１に示すように、乗場ドア７の振れ止め用アップスラストローラ１１がハンガーローラ５の下側に位置しており、ハンガーレール４をハンガーローラ５とアップスラストローラ１１とで上下より挟み込んで振れ止めとなるような構成となっている。この時は、乗場ドア７に乗場側から昇降路側へ何らかの力が作用していないので、乗場ドアは傾くことはない。
今、乗場ドア７に乗場側から昇降路側へ何らかの力が作用して乗場ドアが傾いた場合、図２に示すように、傾き阻止用ストッパー１２がハンガーケース１の垂直壁の上部内面に接触して、乗場ドア７の傾き角度を制限することができるので、乗場ドア７の外れ、或いはアップスラストローラ１１の外れを防止することができる。
【００１０】
実施の形態２．
図３はこの発明の実施の形態２におけるエレベータ用ドア装置を示す乗場の縦断面図、図４は同じくドアが傾いた状態を示す乗場の縦断面図である。
上記実施の形態１では、傾き阻止用ストッパー１２をハンガーローラ５の上側に設けるように構成したが、この実施の形態２においては、ハンガープレート６の延長された垂直部上端部の前面側（乗場側）に乗場ドア７の振れ止め用アップスラストローラの機能も備えた振れ止め兼傾き阻止用ローラストッパー１３を取り付けたものである。このローラストッパー１３は、通常時はローラの外周面がハンガーケース１の天井部内面を転動することにより、ドアの浮き上がりを防止している。また、乗場ドア７に乗場側から昇降路側へ何らかの力が作用して乗場ドアが傾いた場合、図４に示すように、振れ止め兼傾き阻止用ローラストッパー１３の側面がハンガーケース１の垂直壁の上部内面に接触して、乗場ドア７の傾き角度を制限することができる
【００１１】
この実施の形態２のような構成であっても、実施の形態１とほぼ同様の性能を持たせることができる。
【００１２】
なお、上記実施の形態の説明では、乗場ドアへの適用について述べたが、かごドアにも適用できることはもちろんである。
【図面の簡単な説明】
【００１３】
【図１】この発明の実施の形態１におけるエレベータ用ドア装置を示す乗場の縦断面図である。
【図２】同じくドアが傾いた状態を示す乗場の縦断面図である。
【図３】この発明の実施の形態２におけるエレベータ用ドア装置を示す乗場の縦断面図である。
【図４】同じくドアが傾いた状態を示す乗場の縦断面図である。
【図５】従来のエレベータ用ドア装置を示す乗場の縦断面図である。
【図６】同じくドアが傾いた状態を示す乗場の縦断面図である。
【符号の説明】
【００１４】
１  ハンガーケース
２  乗場出入口
３  昇降路壁内面
４  ハンガーレール
５  ハンガーローラ
６  ハンガープレート
７  乗場ドア
８  ボルト
９  ドアシュー
１０  乗場敷居
１１  振れ止め用アップスラストローラ
１２  傾き阻止用ストッパー
１３  振れ止め兼傾き阻止用ローラストッパー
【図１】
2006137518.tif 000003
【図２】
2006137518.tif 000004
【図３】
2006137518.tif 000005
【図４】
2006137518.tif 000006
【図５】
2006137518.tif 000007
【図６】
2006137518.tif 000008